(57)【特許請求の範囲】
【請求項１】
通気性を有する不織布をプリーツ成形することによって構成され、揮発性を有する薬剤を含浸させた第１及び第２含浸体を備え、
上記第１含浸体は、厚み方向一側の面から空気が送られるように配置され、
上記第２含浸体は、空気流れ方向下流側から見たとき、該第２含浸体の厚み方向一側の面が上記第１含浸体の厚み方向他側の面と重なるように配置され、
上記第１及び第２含浸体のプリーツのピッチは、４．５ｍｍ以上６．０ｍｍ以下に設定され、
上記第１含浸体を構成する不織布の上記第２含浸体側の面と、上記第２含浸体を構成する不織布の上記第１含浸体側の面との間に隙間が形成されていることを特徴とする薬剤拡散具。
【請求項２】
請求項１に記載の薬剤拡散具において、
上記第１含浸体と上記第２含浸体との空気流れ方向の離間距離は、５．０ｍｍ以下に設定されていることを特徴とする薬剤拡散具。
【請求項３】
請求項１または２に記載の薬剤拡散具において、
上記第１含浸体のプリーツ形状部分における第２含浸体側の頂部と、上記第２含浸体のプリーツ形状部分における第１含浸体側の頂部とは、空気流れ方向の離間距離が略０となるように配置されていることを特徴とする薬剤拡散具。
【発明の詳細な説明】
【技術分野】
【０００１】
本発明は、例えば蚊等を防除する薬剤を拡散させるための薬剤拡散具に関するものである。
【背景技術】
【０００２】
従来から、例えば、特許文献１〜３に記載されているように、蚊を防除する薬剤を含浸させた含浸体に向けてファンにより風を送って含浸体の薬剤を拡散させるように構成されたファン式蚊取器が知られている（特許文献１〜３）。
【先行技術文献】
【特許文献】
【０００３】
【特許文献１】特開２００１−３３３６８１号公報
【特許文献２】特開２００６−２９８４４７号公報
【特許文献３】特開２００９−２８４７９２号公報
【発明の概要】
【発明が解決しようとする課題】
【０００４】
ところで、例えば特許文献１〜３のようなファン式蚊取器においては、蚊等に対する防除力（効力）を向上させたいという要求がある。効力を向上させるにあたっては、薬剤の拡散量を増やせばよいので、特許文献２の図７に開示されているように含浸体を複数組み合わせる方法が考えられる。
【０００５】
しかしながら、本発明者らが複数の含浸体を組み合わせて実験を行ったところ、単に複数組み合わせただけでは、効力の向上が見られないことがあり、また、逆に効力が低下する場合があることが分かり、所望の高い効力が得られるとは限らない。
【０００６】
本発明は、かかる点に鑑みてなされたものであり、その目的とするところは、複数の含浸体を組み合わせて薬剤拡散具を構成する場合に、含浸体の構造、及びその組み合わせに工夫を凝らすことにより、薬剤の拡散量を大幅に向上させて薬剤による効力をより一層高めることにある。
【課題を解決するための手段】
【０００７】
上記目的を達成するために、本発明では、不織布をプリーツ成形して含浸体を構成し、この含浸体を複数組み合わせるようにした。
【０００８】
第１の発明は、通気性を有する不織布をプリーツ成形することによって構成され、揮発性を有する薬剤を含浸させた第１及び第２含浸体を備え、上記第１含浸体は、厚み方向一側の面から空気が送られるように配置され、上記第２含浸体は、空気流れ方向下流側から見たとき、該第２含浸体の厚み方向一側の面が上記第１含浸体の厚み方向他側の面と重なるように配置され、上記第１及び第２含浸体のプリーツのピッチは、４．５ｍｍ以上６．０ｍｍ以下に設定され、上記第１含浸体を構成する不織布の上記第２含浸体側の面と、上記第２含浸体を構成する不織布の上記第１含浸体側の面との間に隙間が形成されていることを特徴とするものである。
【０００９】
この構成によれば、第１含浸体の厚み方向一側から空気が送られると、第１含浸体に含浸している薬剤が放出され、さらに、この第１含浸体の下流側に位置することになる第２含浸体に含浸している薬剤も放出される。このとき、第１及び第２含浸体が不織布からなるものなので、通気抵抗が十分に低い。従って、両含浸体を空気流れ方向に並べて配置しても、通過する空気の単位時間当たりの量は多く確保される。これにより、薬剤の拡散量が多くなる。
【００１０】
また、第１及び第２含浸体からの薬剤の放出量をより一層向上させることが可能になる。
【００１１】
第２の発明は、第１の発明において、上記第１含浸体と上記第２含浸体との空気流れ方向の離間距離は、５．０ｍｍ以下に設定されていることを特徴とするものである。
【００１２】
この構成によれば、第１及び第２含浸体をコンパクトにまとめて配置しながら、薬剤の拡散量を十分に確保することが可能になる。
【００１３】
第３の発明は、第１または２の発明において、上記第１含浸体のプリーツ形状部分における第２含浸体側の頂部と、上記第２含浸体のプリーツ形状部分における第１含浸体側の頂部とは、空気流れ方向の離間距離が略０となるように配置されていることを特徴とするものである。
【００１４】
この構成によれば、第１及び第２含浸体をコンパクトにまとめて配置することが可能になる。そして、薬剤の拡散量を十分に確保することが可能になる。
【発明の効果】
【００１５】
第１の発明によれば、不織布をプリーツ成形した第１及び第２含浸体に揮発性を有する薬剤を含浸させて空気流れ方向に並ぶように配置したので、薬剤の拡散量を多くすることができ、薬剤の拡散量を大幅に向上させて薬剤による効力をより一層高めることができる。
【００１６】
また、第１及び第２含浸体のプリーツのピッチを４．５ｍｍ以上６．０ｍｍ以下に設定したので、薬剤の放出量をより一層向上させることができ、薬剤による効力を高めることができる。
【００１７】
第２の発明によれば、第１含浸体と第２含浸体との空気流れ方向の離間距離を５．０ｍｍ以下にしたので、第１及び第２含浸体をコンパクトにまとめて配置しながら、薬剤による効力を高めることができる。
【００１８】
第３の発明によれば、第１含浸体のプリーツ形状部分の頂部と、第２含浸体のプリーツ形状部分の頂部との空気流れ方向の離間距離が略０になるので、第１及び第２含浸体をコンパクトにまとめて配置できるとともに、効力をより一層高めることができる。
【図面の簡単な説明】
【００１９】
【図１】実施形態にかかる薬剤拡散具を備えたファン式蚊取器の内部構造を示す断面図である。
【図２】薬剤拡散具を空気流れ方向上流側から見た図である。
【図３】薬剤拡散具の断面図である。
【図４】本発明品と比較例１との各々についてピッチを変えた場合の効力を示すグラフである。
【図５】本発明品と比較例１との各々について離間距離Ｘを変えた場合の効力を示すグラフである。
【図６】（ａ）は離間距離Ｘがプラス側にある場合の図３相当図であり、（ｂ）は離間距離Ｘがマイナス側にある場合の図３相当図である。
【図７】比較例２、３の効力比を示すグラフである。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態にかかる薬剤拡散具１０を備えたファン式蚊取器２０の概略構造を示す断面図である。ファン式蚊取器２０は、薬剤拡散具１０の他に、ファン２１と、ファン２１を回転駆動するモーター２２と、電池（図示せず）と、これら薬剤拡散具１０、ファン２１、モーター２２及び電池を収容するケーシング２４とを備えている。
【００２２】
ケーシング２４の内部には、ファン２１を収容するためのファン収容室２５と、薬剤拡散具１０を収容する薬剤収容室２６とが形成されている。
【００２３】
ケーシング２４のファン収容室２５を区画形成する下壁部には、空気吐出孔２７が形成されている。また、ケーシング２４の薬剤収容室２６を区画形成する上壁部には、空気吸入孔２８が形成されている。ケーシング２４のファン収容室２５と薬剤収容室２６とは連通している。
【００２４】
ファン２１は、周知のものであり、モーター２２により駆動されると、空気を空気吸入孔２８から薬剤収容室２６へ吸い込んで、ファン収容室２５へ流入させて空気吐出孔２７から吐出させるように構成されている。
【００２５】
薬剤拡散具１０は、空気流れ方向上流側（図１の上側）に配置される上流側含浸体１１と、空気流れ方向下流側（図１の下側）に配置される下流側含浸体１２と、上流側及び下流側含浸体１１，１２が固定される枠部材１３とを備えている（図２及び図３にも示す）。上流側及び下流側含浸体１１，１２は、揮発性を有する薬剤として、例えば、周知の蚊忌避剤や殺虫剤を含浸している。
【００２６】
枠部材１３は、図２に示すように、略矩形状とされている。この枠部材１３内の全体に上流側含浸体（第１含浸体）１１及び下流側含浸体（第２含浸体）１２が設けられている。枠部材１３は、ケーシング２４の内部に着脱可能に取り付けられるようになっている。
【００２７】
上流側含浸体１１は、不織布をプリーツ成形してなるものである。すなわち、図３に示すように、不織布に多数の山及び谷が交互に形成されるように該不織布を折ることによって成形されており、上流側含浸体１１のプリーツ形状部分には、上側の頂部１１ａと下側の頂部１１ｂとがそれぞれ多数形成されることになる。
【００２８】
上記不織布としては、スパンボンド不織布が好ましく、例えば、三井化学株式会社製のシンテックスＭＹＲ−０１４等が挙げられる。不織布の目付量は、本実施形態では３５ｇ／ｍ２としている。目付量の範囲としては、２０ｇ／ｍ２以上５０ｇ／ｍ２以下が好ましい。また、不織布の材質は、ポリエステルである。  
【００２９】
上流側含浸体１１の厚みＴ１は、２２ｍｍに設定されている。また、上流側含浸体１１の隣り合う頂部１１ｂ，１１ｂ間（１１ａ，１１ａ間）の距離であるピッチＰ１は５．０ｍｍに設定されている。
【００３０】
下流側含浸体１２は上流側含浸体１１と同じものであり、厚みＴ２はＴ１と同じに設定され、プリーツ形状部分には上側の頂部１２ａと下側の頂部１２ｂとが形成されている。
【００３１】
上流側及び下流側含浸体１１，１２の周囲は、全周に亘って枠部材１３の内周面に固定されている。
【００３２】
図１に示すように、上流側含浸体１１は、上面が空気吸入孔２８側となるように配置されている。つまり、上流側含浸体１１は、厚み方向一側の面（上面）から空気が送られるように配置されている。
【００３３】
一方、下流側含浸体１２は、該下流側含浸体１２の上面が上流側含浸体１１の下面を覆うように配置されている。つまり、空気流れ方向下流側から見たとき、下流側含浸体１２は、該下流側含浸体１２の厚み方向一側の面（上面）が上流側含浸体１１の厚み方向他側の面（下面）と重なるように配置されている。
【００３４】
また、図３に示すように、上流側含浸体１１のプリーツ形状部分における上側の頂部１１ａと、下流側含浸体１２のプリーツ形状部分における上側の頂部１２ａとは、プリーツの並び方向（幅方向）について同じ位置となるように、上流側及び下流側含浸体１１，１２の位置が設定されている。
【００３５】
また、上流側含浸体１１と下流側含浸体１２との空気流れ方向の離間距離Ｘは、５．０ｍｍ以下に設定されている。離間距離Ｘとは、上流側含浸体１１における上側の頂部１１ａと、下流側含浸体１２の下側の頂部１２ｂとの空気流れ方向についての離間距離である。
【００３６】
次に、上記のように構成された薬剤拡散具１０を備えたファン式蚊取器２０を使用した場合の効力について説明する。
【００３７】
効力の試験方法は次のとおりである。まず、所定広さの密閉された試験室を用意する。この試験室内でファン式蚊取器２０を３０分間連続作動させ、停止させる。その後、供試虫としてのアカイエカ（雌）を試験室に放す。試験室中で動かなくなった供試虫の数を調べ、効力を、フマキラー株式会社製のウルトラべープ（商品名）の効力と比較し、ウルトラべープの効力の何倍の効力が得られたか、効力比として図４及び図５のグラフに示している。
【００３８】
図４のグラフでは、縦軸に、ウルトラべープの効力を１としたときの効力比をとっており、横軸に、上流側及び下流側含浸体１１，１２のピッチＰ１，Ｐ２をとっている。
【００３９】
比較例１は、上流側含浸体１１と同じ素材で同じ形状の含浸体を１つだけ設けた薬剤拡散具を用いた場合である。この比較例１では、効力比が最高で３．４であった。一方、本発明品（上流側及び下流側含浸体１１，１２を備えた２段タイプ）では、ピッチＰ１，Ｐ２が５．０ｍｍのときに効力比が４．０となり、比較例１に対して大幅に向上している。ピッチＰ１，Ｐ２が８．０ｍｍまで広くなっても３．８という高い効力比が得られる。また、ピッチＰ１，Ｐ２の下限値としては、４．６ｍｍが好ましく、４．６ｍｍ以上であれば、比較例１よりも大きな効力が得られる。より好ましくは、４．８ｍｍ以上５．５ｍｍ以下である。
【００４０】
次に、図５に示すグラフについて説明する。図５のグラフでは、縦軸に、図４と同様に効力比をとっており、横軸に、上流側及び下流側含浸体１１，１２の離間距離Ｘをとっている。離間距離Ｘが０のときには、上流側含浸体１１の上側の頂部１１ａと、下流側含浸体１２の下側の頂部１２ｂとは空気流れ方向について同じ位置にあることになる。離間距離Ｘがプラスのときには、図６（ａ）に示すように、上流側含浸体１１の上側の頂部１１ａと、下流側含浸体１２の下側の頂部１２ｂとが空気流れ方向に離れることになる。一方、離間距離Ｘがマイナスのときには、図６（ｂ）に示すように、上流側含浸体１１の上側の頂部１１ａが、下流側含浸体１２の下側の隣り合う頂部１２ｂ，１２ｂの間に入り、下流側含浸体１２の下側の頂部１２ｂが、上流側含浸体１１の上側の隣り合う頂部１１ａ，１１ａの間に入ることになる。
【００４１】
比較例１では、効力比が３．４であるのに対し、本発明品では、離間距離Ｘが−１５ｍｍ以上９ｍｍ以下で比較例１の効力比を越える効力比が得られる。離間距離Ｘが略０ｍｍのときに最大効力である４．０が得られる。離間距離Ｘの最適範囲は、−１０ｍｍ以上５ｍｍ以下であり、より好ましい範囲は、−５ｍｍ以上２ｍｍである。離間距離Ｘを小さくするほど、上流側及び下流側含浸体１１，１２を接近させて薬剤拡散具１０をコンパクトにまとめることができるので好ましい。
【００４２】
上記のように不織布で構成した上流側及び下流側含浸体１１，１２を空気流れ方向に並ぶように配置したことで、比較例１の１段タイプのものに比べて効力が明確に高まっている。これは、通気性の高い不織布でプリーツを形成して空気流れ方向に２段並べて配置したことによる。
【００４３】
このことを図７に示す比較例２、３の効力比に基づいて説明する。比較例２は、厚さ２ｍｍのウレタンフォームを上記本発明品の含浸体と同様にプリーツ成形し、同じ薬剤を含浸させたものである。比較例３は、比較例２の含浸体を本発明品と同様に空気流れ方向に２段並べて配置したものである。
【００４４】
図７のグラフは、縦軸は図５と同じであり、横軸はウレタン製含浸体の離間距離Ｘである。この離間距離Ｘは、本発明品の離間距離Ｘと同じである。
【００４５】
比較例２の結果より、ウレタン製含浸体１段では、効力比が３．２であり、図４や図５に示す本発明品に比べて低い。また、比較例３の結果より、ウレタン製含浸体２段では、１段の比較例２に比べて効力比が全体的に低くなっている。つまり、ウレタン製含浸体を２つ空気流れ方向に並べても効力が向上するわけではなく、逆に効力が低下してしまうのである。
【００４６】
以上説明したように、この実施形態にかかる薬剤拡散具１０によれば、不織布をプリーツ成形した上流側及び下流側含浸体１１，１２に揮発性を有する薬剤を含浸させて空気流れ方向に並ぶように配置したので、上流側含浸体１１の上側から送られた空気が上流側含浸体１１を通過するときに該含浸体１１に含浸している薬剤が放出され、さらに、下流側に位置する下流側含浸体１２を通過するときに該含浸体１２に含浸している薬剤も放出される。このとき、上流側及び下流側含浸体１１，１２が不織布からなるものなので、通気抵抗が十分に低い。従って、上流側及び下流側含浸体１１，１２を空気流れ方向に並べて配置しても、図７に示す比較例３（ウレタン製含浸体２段）の場合とは異なり、通過する空気の単位時間当たりの量が多く確保され、薬剤の拡散量を大幅に向上させることができる。よって、薬剤拡散具１０を大型化することなく、薬剤による効力をより一層高めることができる。
【００４７】
また、上流側含浸体１１と下流側含浸体１２との空気流れ方向の離間距離を５．０ｍｍ以下することで、上流側及び下流側含浸体１１，１２をコンパクトにまとめて配置しながら、薬剤による効力を高めることができる。
【００４８】
また、上流側及び下流側含浸体１１，１２のプリーツのピッチを４．５ｍｍ以上６．０ｍｍ以下に設定することで、薬剤の放出量をより一層向上させることができ、薬剤による効力を高めることができる。
【００４９】
また、上流側含浸体１１のプリーツ形状部分の頂部１１ａと、下流側含浸体１２のプリーツ形状部分の頂部１２ｂとの空気流れ方向の離間距離を略０にすることで、上流側及び下流側含浸体１１，１２をコンパクトにまとめて配置できるとともに、効力をより一層高めることができる。
【００５０】
尚、含浸体１１，１２に含浸させる薬剤としては、虫の忌避剤、殺虫剤の他に、消臭剤、除菌剤、芳香剤等が挙げられ、これらを任意に組み合わせてもよい。
【００５１】
また、上記実施形態では、上流側及び下流側含浸体１１，１２の厚みＴ１，Ｔ２を同じにしているが、これに限らず、異ならせてもよい。
【００５２】
また、上記実施形態では、上流側及び下流側含浸体１１，１２の形状を平面視で略矩形状にしているが、これに限らず、略円形状や楕円形状としてもよい。
【００５３】
また、上記実施形態では、上流側及び下流側含浸体１１，１２のピッチＰ１，Ｐ２を同じにしているが、これに限らず、異ならせてもよい。
【００５４】
また、本発明にかかる薬剤拡散具１０は、据置型のファン付き機器以外にも、携帯型のファン付き機器にも使用することができる。
【産業上の利用可能性】
【００５５】
以上説明したように、本発明にかかる薬剤拡散具は、例えばファン式蚊取器に使用することができる。
【符号の説明】
【００５６】
１０        薬剤拡散具
１１        上流側含浸体（第１含浸体）
１１ａ      上側の頂部
１１ｂ      下側の頂部
１２        下流側含浸体（第２含浸体）
１３        枠部材
２０        ファン式蚊取器
２１        ファン
２２        モーター
２４        ケーシング
【図１】
0005801671.tif 000002
【図２】
0005801671.tif 000003
【図３】
0005801671.tif 000004
【図４】
0005801671.tif 000005
【図５】
0005801671.tif 000006
【図６】
0005801671.tif 000007
【図７】
0005801671.tif 000008